Podtech/llm-jp-corpus-v4-ja_patent huggingface dataset:
【手続補正書】
【提出日】平成30年2月28日(2018.2.28)
【手続補正１】
【補正対象書類名】明細書
【補正対象項目名】発明の名称
【補正方法】変更
【補正の内容】
【発明の名称】画像形成装置及びその制御方法、並びに記憶媒体
【手続補正２】
【補正対象書類名】明細書
【補正対象項目名】０００１
【補正方法】変更
【補正の内容】
【０００１】
本発明は、画像形成装置及びその制御方法、並びに記憶媒体に関する。
【手続補正３】
【補正対象書類名】明細書
【補正対象項目名】０００８
【補正方法】変更
【補正の内容】
【０００８】
本発明は、正しい開き方の冊子を得ることができる画像形成装置及びその制御方法、並びに記憶媒体を提供することにある。
【手続補正４】
【補正対象書類名】明細書
【補正対象項目名】０００９
【補正方法】変更
【補正の内容】
【０００９】
上記目的を達成するために、本発明の画像形成装置は、複数のページを有する原稿を読み取る読取手段と、データを格納する記憶手段と、情報を表示する表示手段と、用紙上に画像を形成する画像形成手段と、制御手段とを備える画像形成装置において、前記制御手段は、ユーザの指示に基づいて、読取手段によって読み取られた原稿の開き方を取得し、前記読取手段によって読み取られた原稿の複数のページと前記原稿の開き方とに基づいて生成されると共に前記画像形成手段によって印刷可能な複数の画像の印刷データを前記記憶手段に格納し、ユーザの指示に基づいて、前記複数の画像のうち印刷すべき画像の選択を受け付け、前記選択された画像の製本印刷に関する設定画面として前記表示手段に複数の開き方向を表示し、前記表示された複数の開き方のうちユーザの指示に基づく開き方の選択を受け付け、前記受け付けた開き方の選択に基づいて印刷レイアウトを決定すると共に、前記決定された印刷レイアウトに従って前記選択された画像を前記画像形成手段に形成させ、前記複数の開き方は、前記格納された開き方が初めに選択された状態で、前記表示手段に表示されることを特徴とする。
【手続補正５】
【補正対象書類名】特許請求の範囲
【補正対象項目名】全文
【補正方法】変更
【補正の内容】
【特許請求の範囲】
【請求項１】
複数のページを有する原稿を読み取る読取手段と、データを格納する記憶手段と、情報を表示する表示手段と、用紙上に画像を形成する画像形成手段と、制御手段とを備える画像形成装置において、
前記制御手段は、
ユーザの指示に基づいて、読取手段によって読み取られた原稿の開き方を取得し、
前記読取手段によって読み取られた原稿の複数のページと前記原稿の開き方とに基づいて生成されると共に前記画像形成手段によって印刷可能な複数の画像の印刷データを前記記憶手段に格納し、
ユーザの指示に基づいて、前記複数の画像のうち印刷すべき画像の選択を受け付け、
前記選択された画像の製本印刷に関する設定画面として前記表示手段に複数の開き方向を表示し、
前記表示された複数の開き方のうちユーザの指示に基づく開き方の選択を受け付け、
前記受け付けた開き方の選択に基づいて印刷レイアウトを決定すると共に、前記決定された印刷レイアウトに従って前記選択された画像を前記画像形成手段に形成させ、
前記複数の開き方は、前記格納された開き方が初めに選択された状態で、前記表示手段に表示されることを特徴とする画像形成装置。
【請求項２】
前記複数の開き方は、左開き及び右開きを含むことを特徴とする請求項１記載の画像形成装置。
【請求項３】
前記設定画面は、前記複数のページが前記読取手段によって読み取られたときに用いられた開き方の候補を示す複数の選択可能な対象を含み、
前記制御手段は、前記原稿の開き方向に基づいて、特定の開き方を示す対象が前記複数の選択可能な対象から選択される状態で前記設定画面を前記表示手段に表示させることを特徴とする請求項１又は２記載の画像形成装置。
【請求項４】
前記制御手段は、前記原稿の開き方が格納されていないときは、所定の開き方を示す対象が前記複数の選択可能な対象から選択される状態で前記設定画面を前記表示手段に表示させることを特徴とする請求項３記載の画像形成装置。
【請求項５】
複数のページを有する原稿を読み取る読取手段と、データを格納する記憶手段と、
情報を表示する表示手段と、用紙上に画像を形成する画像形成手段とを備える画像形成装置の制御方法において、
ユーザの指示に基づいて、読取手段によって読み取られた原稿の開き方を取得するステップと、
前記読取手段によって読み取られた原稿の複数のページと前記原稿の開き方とに基づいて生成されると共に前記画像形成手段によって印刷可能な複数の画像の印刷データを前記記憶手段に格納するステップと、
ユーザの指示に基づいて、前記複数の画像のうち印刷すべき画像の選択を受け付けるステップと、
前記選択された画像の製本印刷に関する設定画面として前記表示手段に複数の開き方向を表示するステップと、
前記表示された複数の開き方のうちユーザの指示に基づく開き方の選択を受け付けるステップと、
前記受け付けた開き方の選択に基づいて印刷レイアウトを決定すると共に、前記決定された印刷レイアウトに従って前記選択された画像を前記画像形成手段に形成させるステップとを備え、
前記複数の開き方は、前記格納された開き方が初めに選択された状態で、前記表示手段に表示されることを特徴とする画像形成装置の制御方法。
【請求項６】
複数のページを有する原稿を読み取る読取手段と、データを格納する記憶手段と、
情報を表示する表示手段と、用紙上に画像を形成する画像形成手段とを備える画像形成装置の制御方法をコンピュータに実行させるプログラムを格納するコンピュータ読み取り可能な記憶媒体において、
前記画像形成装置の制御方法は、
ユーザの指示に基づいて、読取手段によって読み取られた原稿の開き方を取得するステップと、
前記読取手段によって読み取られた原稿の複数のページと前記原稿の開き方とに基づいて生成されると共に前記画像形成手段によって印刷可能な複数の画像の印刷データを前記記憶手段に格納するステップと、
ユーザの指示に基づいて、前記複数の画像のうち印刷すべき画像の選択を受け付けるステップと、
前記選択された画像の製本印刷に関する設定画面として前記表示手段に複数の開き方向を表示するステップと、
前記表示された複数の開き方のうちユーザの指示に基づく開き方の選択を受け付けるステップと、
前記受け付けた開き方の選択に基づいて印刷レイアウトを決定すると共に、前記決定された印刷レイアウトに従って前記選択された画像を前記画像形成手段に形成させるステップとを備え、
前記複数の開き方は、前記格納された開き方が初めに選択された状態で、前記表示手段に表示されることを特徴とする記憶媒体。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
炭化珪素単結晶基板を準備する工程と、
前記炭化珪素単結晶基板を成膜装置のチャンバ内に配置し、前記チャンバ内を減圧する工程と、
前記チャンバ内の温度を第１の温度まで昇温する工程と、
前記第１の温度まで昇温した後に、水素ガスを前記チャンバ内に導入して、前記チャンバ内の圧力を調整する工程と、
炭化水素ガスを前記チャンバ内に導入する工程と、
調整された前記チャンバ内の前記圧力および前記水素ガスの流量を維持し、かつ前記炭化水素ガスを導入した状態で、前記チャンバ内の前記温度を第２の温度まで昇温して、前記第２の温度で所定の時間保持する基板改質工程と、
前記第２の温度を維持した状態で、前記チャンバ内にシランガスを導入することにより、前記炭化珪素単結晶基板上にエピタキシャル層を成長させる工程と、を備える、炭化珪素エピタキシャル基板の製造方法。
【請求項２】
前記炭化水素ガスは、メタンガス、エタンガス、プロパンガス、ブタンガスおよびアセチレンガスからなる群より選択される１種以上を含む、請求項１に記載の炭化珪素エピタキシャル基板の製造方法。
【請求項３】
前記導入する工程における前記炭化水素ガスの前記流量は、５ｓｃｃｍ以上３０ｓｃｃｍ以下である、請求項１または請求項２に記載の炭化珪素エピタキシャル基板の製造方法。
【請求項４】
前記調整する工程における前記水素ガスの前記流量は、５０ｓｌｍ以上２００ｓｌｍ以下である、請求項１〜請求項３のいずれか１項に記載の炭化珪素エピタキシャル基板の製造方法。
【請求項５】
前記第１の温度は、１３００℃以上１５００℃未満であり、
前記第２の温度は、１５００℃以上１７００℃以下である、請求項１〜請求項４のいずれか１項に記載の炭化珪素エピタキシャル基板の製造方法。
【請求項６】
前記基板改質工程における前記チャンバ内の前記圧力は、５ｋＰａ以上４０ｋＰａ以下である、請求項１〜請求項５のいずれか１項に記載の炭化珪素エピタキシャル基板の製造方法。
【請求項７】
炭化珪素単結晶基板を準備する工程と、
前記炭化珪素単結晶基板を成膜装置のチャンバ内に配置し、前記チャンバ内を減圧する工程と、
前記チャンバ内の温度を１３００℃以上１５００℃未満である第１の温度まで昇温する工程と、
前記第１の温度まで昇温した後に、５０ｓｌｍ以上２００ｓｌｍ以下の流量の水素ガスを前記チャンバ内に導入して、前記チャンバ内の圧力を５ｋＰａ以上４０ｋＰａ以下に調整する工程と、
５ｓｃｃｍ以上３０ｓｃｃｍ以下の流量のプロパンガスを前記チャンバ内に導入する工程と、
調整された前記チャンバ内の前記圧力および前記水素ガスの前記流量を維持し、かつ前記プロパンガスを導入した状態で、前記チャンバ内の前記温度を１５００℃以上１７００℃以下である第２の温度まで昇温して、前記第２の温度で所定の時間保持する基板改質工程と、
前記第２の温度を維持した状態で、前記チャンバ内にシランガスを導入することにより、前記炭化珪素単結晶基板上にエピタキシャル層を成長させる工程と、を備える、炭化珪素エピタキシャル基板の製造方法。
【手続補正２】
【補正対象書類名】明細書
【補正対象項目名】発明の名称
【補正方法】変更
【補正の内容】
【発明の名称】炭化珪素エピタキシャル基板の製造方法
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ファンを駆動するファンモータと、
前記ファンモータをキャビネットに固定するファンモータオサエとを備え、
前記ファンモータオサエは、
複数の部材からなり、側方に設けられる第１部材を、その係合部を被係合部との係合を外すだけで、前記ファンモータを取り外しでき、
前記第１部材は、
前記キャビネットに係合される爪部を有し、前記爪部は、外方に向けて曲がる曲げ部が形成され、
前記爪部を前記キャビネットの嵌入孔に嵌入することより、前記ファンモータを前記第１部材だけで前記キャビネットに組み付けることができる
ことを特徴とする空気調和機の室内機。
【請求項２】
前記第１部材に複数の穴が設けられている
ことを特徴とする請求項１に記載の空気調和機の室内機。
【請求項３】
前記第１部材には、強度を向上させるリブが設けられている
ことを特徴とする請求項１に記載の空気調和機の室内機。
【請求項４】
前記ファンモータオサエは、前記第１部材と、前記第１部材に組み付けられる第２部材とを有し、
前記第１部材が前記ファンモータを支える軸方向支持寸法をｃとし、
前記第１部材が前記第２部材に組み付けられた際の軸方向重なり寸法をｂとした場合、ｃ＞ｂの関係である
ことを特徴とする請求項１に記載の空気調和機の室内機。
【請求項５】
前記ファンモータオサエは、前記第１部材と、前記第１部材に組み付けられる第２部材とを有し、
前記第１部材と前記第２部材とを組み付ける前記係合部と前記被係合部とは、前記第１部材に設けられる把持部に人手での握る力を加えることで前記係合部が移動し、前記係合部と前記被係合部との係合が解除される
ことを特徴とする請求項１に記載の空気調和機の室内機。
【手続補正２】
【補正対象書類名】明細書
【補正対象項目名】０００８
【補正方法】変更
【補正の内容】
【０００８】
前記課題を解決するため、本発明の空気調和機の室内機は、ファンを駆動するファンモータと、前記ファンモータをキャビネットに固定するファンモータオサエとを備え、前記ファンモータオサエは、複数の部材からなり、側方に設けられる第１部材を、その係合部を被係合部との係合を外すだけでファンモータを取り外しができ、前記第１部材は、前記キャビネットに係合される爪部を有し、前記爪部は、外方に向けて曲がる曲げ部が形成され、前記爪部を前記キャビネットの嵌入孔に嵌入することより、前記ファンモータを前記第１部材だけで前記キャビネットに組み付けることができる。
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
複数のシステムを制御するように構成される入力デバイスから入力信号を受信するステップであって、前記複数のシステムにおける各システムは、割り当てられる移動止めプロファイルを含むステップと、
前記入力デバイスによって制御される第１のシステムに割り当てられる第１の移動止めプロファイルを受信するステップであって、前記第１の移動止めプロファイルは仮想移動止めに関連付けられる触覚データを含むステップと、
前記入力信号、前記第１のシステム、及び前記第１の移動止めプロファイルに部分的に基づいて触覚信号を決定するステップと、
前記仮想移動止めを出力するように構成されるアクチュエータに触覚信号を出力するステップと
を含む、方法。
【請求項２】
前記入力信号に少なくとも部分的に基づいてゲームシステムにおけるキャラクタを制御するステップを更に含む、請求項１に記載の方法。
【請求項３】
前記ゲームシステムは、携帯型ゲームシステムを含む、請求項２に記載の方法。
【請求項４】
前記入力デバイスは、回転式つまみ、フェーダ、タッチスクリーン、又はタッチパッドの１つ以上を含む、請求項１に記載の方法。
【請求項５】
前記アクチュエータは、偏心回転質量（ＥＲＭ）アクチュエータ、マルチファンクショナル（ＭＦＴ）アクチュエータ、線形重量アクチュエータ、電磁アクチュエータ、モータ、ボイスコイル、空気圧式若しくは水圧アクチュエータ、又は電子作動ポリマの１つ以上を含む、請求項１に記載の方法。
【請求項６】
前記第１の移動止めプロファイルは、複数の仮想移動止めを含む、請求項１に記載の方法。
【請求項７】
生成するべき前記複数の仮想移動止めの１つを決定するステップを更に含む、請求項６に記載の方法。
【請求項８】
入力デバイスからの前記入力信号は、回転式つまみの回転又はフェーダのスライドに関連付けられる情報を含む、請求項１に記載の方法。
【請求項９】
プログラムコードを含む非一時的なコンピュータ可読媒体であって、プロセッサによって実行されると、前記プログラムコードは、
複数のシステムを制御するように構成される入力デバイスから入力信号を受信することであって、前記複数のシステムにおける各システムは、割り当てられる移動止めプロファイルを含むこと、  前記入力デバイスによって制御される第１のシステムに割り当てられる第１の移動止めプロファイルを受信することであって、前記第１の移動止めプロファイルは仮想移動止めに関連付けられる触覚データを含むこと、
前記入力信号、前記第１のシステム、及び前記第１の移動止めプロファイルに部分的に基づいて触覚信号を決定すること、及び
前記仮想移動止めを出力するように構成されるアクチュエータに触覚信号を出力すること
を前記プロセッサに行わせるように構成される、非一時的なコンピュータ読み取り可能な媒体。
【請求項１０】
実行されると、前記入力信号に少なくとも部分的に基づいてゲームシステムにおけるキャラクタを制御することを前記プロセッサに行わせるように構成されるプログラムコードを更に含む、請求項９に記載のコンピュータ読み取り可能な媒体。
【請求項１１】
前記ゲームシステムは、携帯型ゲームシステムを含む、請求項１０に記載のコンピュータ読み取り可能な媒体。
【請求項１２】
前記第１の移動止めプロファイルは、複数の仮想移動止めを含む、請求項９に記載のコンピュータ読み取り可能な媒体。
【請求項１３】
実行されると、生成するべき前記複数の仮想移動止めの１つを決定することを前記プロセッサに行わせるように構成されるプログラムコードを更に含む、請求項１２に記載のコンピュータ読み取り可能な媒体。
【請求項１４】
複数のシステムを制御するように構成される入力デバイスであって、前記複数のシステムにおける各システムは、割り当てられる移動止めプロファイルを含む入力デバイスと、
前記入力デバイスと通信するプロセッサであって、
前記入力デバイスから入力信号を受信すること、
前記入力デバイスによって制御される第１のシステムに割り当てられる第１の移動止めプロファイルを受信することであって、前記第１の移動止めプロファイルは仮想移動止めに関連付けられる触覚データを含むこと、及び
前記入力信号、前記第１のシステム、及び前記第１の移動止めプロファイルに部分的に基づいて触覚信号を出力すること
を行うように構成されるプロセッサと、
前記触覚信号を受信して、前記仮想移動止めを出力するように構成される触覚効果を生成するように構成される少なくとも１つのアクチュエータと
を備える、システム。
【請求項１５】
前記プロセッサは、前記入力信号に少なくとも部分的に基づいてゲームシステムにおけるキャラクタを制御するように更に構成される、請求項１４に記載のシステム。
【請求項１６】
前記システムは、携帯型ゲームシステムを含む、請求項１５に記載のシステム。
【請求項１７】
前記第１の移動止めプロファイルは、複数の仮想移動止めを含む、請求項１４に記載のシステム。
【請求項１８】
前記プロセッサは、生成するべき前記複数の仮想移動止めの１つを決定するように構成される、請求項１７に記載のシステム。
【請求項１９】
前記入力デバイスは、回転式つまみ、フェーダ、タッチスクリーン、又はタッチパッドの１つ以上を含む、請求項１４に記載のシステム。
【請求項２０】
前記少なくとも１つのアクチュエータは、偏心回転質量（ＥＲＭ）アクチュエータ、多機能（ＭＦＴ）アクチュエータ、線形質量アクチュエータ、電磁アクチュエータ、モータ、音声コイル、空気圧式又は油圧式アクチュエータ、又は電気活性ポリマーの１つ以上を含む、請求項１４に記載のシステム。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
光源を支持する第１支持部とコリメーターレンズを支持する第２支持部とが合成樹脂で一体成形された支持体の前記第２支持部に形成された台座に接着剤を塗布する第１ステップと、
前記光源と前記台座の間の位置から前記台座に向けて前記コリメーターレンズを移動させ、前記光源から出射されるレーザー光の進行方向において前記コリメーターレンズの前記光源側の第１面よりも前記第１面の反対側の第２面と前記第２支持部との間に多く前記接着剤を付着させて前記台座に配置する第２ステップと、
を含む光源ユニットの製造方法。
【請求項２】
前記第２ステップでは、前記コリメーターレンズの幅の中心が、前記光源から照射されるレーザー光の進行方向における前記台座の幅の中心よりも前記光源側に存在するように前記コリメーターレンズが配置される、
請求項１に記載の光源ユニットの製造方法。
【請求項３】
前記第２ステップでは、前記コリメーターレンズの前記光源側の第１面が前記台座の前記光源側の端部と一致する状態で前記コリメーターレンズが配置される、
請求項１又は２に記載の光源ユニットの製造方法。
【請求項４】
前記第２ステップでは、前記コリメーターレンズが当該コリメーターレンズを保持する駆動部によってユーザー操作又は自動操縦で移動される、
請求項１〜３のいずれかに記載の光源ユニットの製造方法。
【請求項５】
前記接着剤が、光照射によって硬化する光硬化性樹脂である、
請求項１〜４のいずれかに記載の光源ユニットの製造方法。
【手続補正２】
【補正対象書類名】明細書
【補正対象項目名】発明の名称
【補正方法】変更
【補正の内容】
【発明の名称】光源ユニットの製造方法
【手続補正書】
【提出日】平成30年10月9日(2018.10.9)
【手続補正１】
【補正対象書類名】明細書
【補正対象項目名】００５０
【補正方法】変更
【補正の内容】
【００５０】
その結果を表２に示す。ヘパリン加血漿又はＥＤＴＡ加血漿のカウントを血清のカウントで割った後１００を掛けたものを、ヘパリン加血漿／血清、又は、ＥＤＴＡ加血漿／血清として示した。
その結果、硫酸化多糖の添加が無い検体希釈液だと、血清およびヘパリン加血漿とＥＤＴＡ加血漿では、可溶性インターロイキン２受容体の反応性が異なることがわかった。さらに、デキストラン硫酸（分子量２０，０００）は０．０００００４％以上０．０４％以下、デキストラン硫酸（分子量４，０００）は０．０００４％以上０．０４％以下、βシクロデキストリン硫酸塩は０．０２％以上０．４％以下添加されることにより、血清およびヘパリン加血漿はＥＤＴＡ加血漿の可溶性インターロイキン２受容体の反応性が一致することが確認された。血清とヘパリン加血漿及びＥＤＴＡ加血漿の反応性を一致させるには、硫酸基を持つ多糖類及びキレート剤の添加が必要であることが示された。
【手続補正書】
【提出日】平成30年10月10日(2018.10.10)
【手続補正１】
【補正対象書類名】特許請求の範囲
【補正対象項目名】請求項２
【補正方法】変更
【補正の内容】
【請求項２】
請求項１に記載の質量分析装置を用いた多成分一斉分析方法であって、
分析対象である前記一つの化合物群は、リン酸を含む極性基である第１の部分構造と、脂肪酸である第２の部分構造とが、グリセリン又はスフィンゴシンである中心骨格を介して結合されたリン脂質であり、前記少なくとも第１の部分構造を識別するＭＲＭトランジションはリン脂質のクラスを特定するものであり、前記第２の部分構造を識別するＭＲＭトランジションは少なくとも脂肪酸の炭素数及び二重結合数を決定するものであることを特徴とする質量分析装置を用いた多成分一斉分析方法。
【手続補正２】
【補正対象書類名】明細書
【補正対象項目名】００１２
【補正方法】変更
【補正の内容】
【００１２】
【非特許文献１】サンソー・リム（Sangsoo Lim）、ほか３名、「ラピッド・スクリーニング・オブ・ホスフォリピッド・バイオマーカー・キャンディデイツ・フロム・プロステート・カンカー・ウリン・サンプルズ・バイ・マルチプル・リアクション・モニタリング・オブ・ユーピーエルシー-イーエスアイ-マス／マス・アンド・スタティスティカル・アプローチズ（Rapid Screening of Phospholipid Biomarker Candidates from Prostate Cancer Urine Samples by Multiple Reaction Monitoring of UPLC-ESI-MS/MS and Statistical Approaches）」、Bull. Korean Chem. Soc. 2014年、Vol. 35、No. 4、pp.1133-1138
【手続補正３】
【補正対象書類名】明細書
【補正対象項目名】００４７
【補正方法】変更
【補正の内容】
【００４７】
脂肪酸組成決定メソッド作成部４４により目的試料に対する２回目（又はそれ以降）のＬＣ／ＭＳ／ＭＳ分析のための分析メソッドが作成されたならば、分析制御部４１はこの分析メソッドに従って目的試料に対する２回目（又はそれ以降）のＬＣ／ＭＳ／ＭＳ分析を実行するように各部を制御する（ステップＳ８）。２回目以降のＬＣ／ＭＳ／ＭＳ分析は検出すべきＭＲＭトランジションが相違するだけで基本的には１回目のＬＣ／ＭＳ／ＭＳ分析と同じである。
【手続補正４】
【補正対象書類名】図面
【補正対象項目名】図７
【補正方法】変更
【補正の内容】
【図７】
2017191056.tif 000001
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
検出対象（１０）の回転を検出する複数のセンサ素子（６０１〜６０７）と、
前記センサ素子の検出値に基づいて前記検出対象の回転角を演算する回転角演算部（６１５、６２５）、前記センサ素子の検出値に基づいて前記検出対象の回転回数を演算する回転回数演算部（６１６、６２６）、ならびに、前記回転角に係る信号である回転角信号および前記回転回数に係る回転回数信号を制御部（５１、５２）に出力する通信部（６１７、６２７）を有する複数の回路部（６１０〜６１２、６２０〜６２２）と、
前記センサ素子および前記回路部を封止しており、前記制御部とは別途に基板（２１、２３）に実装されるパッケージ（６５、６６１、６６２）と、
を備える回転検出装置。
【請求項２】
全ての前記センサ素子および前記回路部は、１つの前記パッケージ（６５）内に設けられる請求項１に記載の回転検出装置。
【請求項３】
前記パッケージ（６６１、６６２）は、前記センサ素子および当該センサ素子の検出値を用いる前記回路部ごとに設けられる請求項１または２に記載の回転検出装置。
【請求項４】
前記パッケージは、２つであって、
一方の前記パッケージは、前記基板の前記検出対象側の面（２１１）に実装され、
他方の前記パッケージは、前記基板の前記検出対象と反対側の面（２１２）に実装される請求項３に記載の回転検出装置。
【請求項５】
前記センサ素子は、前記検出対象の回転中心線上となる箇所に配置される請求項４に記載の回転検出装置。
【請求項６】
前記センサ素子は、前記検出対象の回転中心線に対して点対称に配置される請求項１〜４のいずれか一項に記載の回転検出装置。
【請求項７】
前記センサ素子は、前記回路部と同一のチップ（６４１、６４２）に含まれる請求項１〜６のいずれか一項に記載の回転検出装置。
【請求項８】
前記センサ素子は、前記回路部のチップ（６４３、６４５）とは別途に設けられる請求項１〜６のいずれか一項に記載の回転検出装置。
【請求項９】
前記センサ素子は、前記回路部のチップの上面に配置される請求項８に記載の回転検出装置。
【請求項１０】
前記センサ素子は、前記回路部のチップよりも前記検出対象の回転中心線側に配置される請求項８に記載の回転検出装置。
【請求項１１】
１つの前記回路部（６１２）に対応して設けられる複数の前記センサ素子（６０１、６０７）は、磁気検出に係る磁気検出特性方向を回転方向にずらして配置されている請求項１〜１０のいずれか一項に記載の回転検出装置。
【請求項１２】
２つの前記センサ素子は、前記磁気検出特性方向を１８０°ずらして配置されている請求項１１に記載の回転検出装置。
【請求項１３】
２つの前記センサ素子の前記磁気検出特性方向のずらし量は、前記回転角信号のビット数に応じた分解能に相当する角度をｄとすると、（０＋ｄ）°以上４５°以下、１３５°以上２２５°以下、または、３１５°以上（３６０−ｄ）°以下である請求項１１に記載の回転検出装置。
【請求項１４】
前記制御部は、前記磁気検出特性方向を回転方向にずらして配置されている複数の前記センサ素子の検出値に応じたデジタル換算値が一致する場合、異常が生じていると判定する請求項１１〜１３のいずれか一項に記載の回転検出装置。
【請求項１５】
前記パッケージが実装される前記基板である第１基板と、当該基板を挟んで前記検出対象と反対側に設けられ前記制御部が実装される第２基板とは、内部接続端子（７１７）で接続され、
前記回転角信号および前記回転回数信号は、前記内部接続端子を経由して前記制御部に送信される請求項１〜１４のいずれか一項に記載の回転検出装置。
【請求項１６】
前記通信部は、前記回転角信号および前記回転回数信号を含む一連の信号である出力信号を、１つの通信線（６９２、６９４）を用いて前記制御部に送信する請求項１〜１５のいずれか一項に記載の回転検出装置。
【請求項１７】
運転者による操舵を補助する補助トルクを出力するモータ部（１０）と、
請求項１〜１６のいずれか一項に記載の回転検出装置（１〜６）と、
前記回転角信号および前記回転回数信号を用いて前記モータ部を制御する前記制御部と、
を備える電動パワーステアリング装置であって、
前記センサ素子は、前記検出対象として前記モータ部の回転を検出する電動パワーステアリング装置。
【請求項１８】
前記制御部は、前記回転角および前記回転回数に基づき、舵角を演算する請求項１７に記載の電動パワーステアリング装置。
【請求項１９】
前記制御部は、複数であって、
前記回路部は、前記制御部ごとに設けられ、対応して設けられる前記制御部に前記回転角信号および前記回転回数信号を出力する請求項１７または１８に記載の電動パワーステアリング装置。
【手続補正書】
【提出日】平成30年8月16日(2018.8.16)
【手続補正１】
【補正対象書類名】明細書
【補正対象項目名】００２０
【補正方法】変更
【補正の内容】
【００２０】
さて、本実施形態では、図５および図６に示すように、各カバー装着部３４の後端縁から後方に突出する形態で検知突起３７がそれぞれ設けられている。一方、図８に示すように、カバー５０の連結壁５６には、複数の検知孔５７が前後方向（基板部３１の板厚方向）に貫通して形成されている。各検知孔５７は、各検知突起３７に対応する位置にあって、カバー本体５１の開口縁部５１Ａと嵌合筒部５２の後端部５２Ａとの間に位置して設けられている。そして、カバー５０をリテーナ３０に対して正規の装着姿勢で装着すると、各検知突起３７が各検知孔５７を貫通して各検知突起３７の先端部のみが検知孔５７から外部に突出した状態となる。この状態では、内ロック部５４と外ロック部５５の双方がカバー５０の内側に隠れており、目視によってロック状態を直接確認できないものの、各検知突起３７の先端部を確認できることをもってカバー５０がリテーナ３０に確実に保持されていることを検知できる。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
車両に搭載して用いられる表示装置（１１）であって画像を表示する当該表示装置の表示画面に配置されるタッチパネル（１２）への入力位置（５１）を取得する位置取得部（３２）と、
前記タッチパネルに対する入力操作を行う操作者（３、３ａ、３ｂ）の視点（４２）を取得する視点取得部（３３）と、
前記タッチパネルに対する入力位置の補正を行う補正部（３６）と、
前記位置取得部により取得された前記入力位置と、前記視点取得部により取得された前記視点と、が、所定の補正条件を満たしているか否かを判定する判定部（３４）と、
前記車両における複数のシートそれぞれに配置される電極と、前記タッチパネルと、を用いて、当該タッチパネルに対して入力操作を行った前記操作者が前記車両におけるいずれの座席に座る人であるかを特定する特定部（３１）と、を備え、
前記視点取得部は、前記特定部により特定された前記操作者の視点を取得し、
前記補正部は、前記判定部により前記補正条件を満たしていると判定された場合には、少なくとも前記視点に基づいて前記入力位置の補正を行う一方、前記判定部により前記補正条件を満たしていると判定されていない場合には、前記補正条件を満たしていると判定された場合と比較して前記視点の影響の度合を低くした前記入力位置の補正を行うか、又は、前記補正を行わない、情報処理装置（１６）。
【請求項２】
請求項１に記載の情報処理装置であって、
前記補正部は、前記判定部により前記補正条件を満たしていると判定された場合には、前記入力位置を前記視点の位置とする補正を行う、情報処理装置。
【請求項３】
請求項１又は請求項２に記載の情報処理装置であって、
前記補正条件は、少なくとも、前記入力位置と前記視点とが所定の閾値よりも接近したことを条件の１つとして含む、情報処理装置。
【請求項４】
請求項３に記載の情報処理装置であって、
さらに、前記補正条件を設定する条件設定部（３５）を有しており、
前記条件設定部は、前記所定の閾値を、前記操作者の目の位置と前記視点とを結ぶ線である視線（４３）と、前記表示画面の前記視点の位置における法線と、の為す角度が大きいほど大きくなるように設定する、情報処理装置。
【請求項５】
請求項１又は請求項２に記載の情報処理装置であって、
前記補正条件は、少なくとも、前記入力位置及び前記視点のいずれかに基づく位置を基準とした所定の範囲内に、前記入力位置及び前記視点が位置することを条件の１つとして含む、情報処理装置。
【請求項６】
請求項５に記載の情報処理装置であって、
さらに、前記補正条件を設定する条件設定部（３５）を有しており、
前記条件設定部は、前記所定の範囲を、前記視線と前記タッチパネルの表面が交差する位置と、前記視点と、を含む範囲となるように設定する、情報処理装置。
【請求項７】
画像を表示する表示装置（１１）の表示画面に配置されるタッチパネル（１２）への入力位置（５１）を取得する位置取得部（３２）と、
前記タッチパネルに対する入力操作を行う操作者（３、３ａ、３ｂ）の視点（４２）を取得する視点取得部（３３）と、
前記タッチパネルに対する入力位置の補正を行う補正部（３６）と、
前記位置取得部により取得された前記入力位置と、前記視点取得部により取得された前記視点と、が、所定の補正条件を満たしているか否かを判定する判定部（３４）と、
前記補正条件を設定する条件設定部（３５）と、を備え、
前記補正条件は、少なくとも、前記入力位置と前記視点とが所定の閾値よりも接近したことを条件の１つとして含み、
前記条件設定部は、前記所定の閾値を、前記操作者の目の位置と前記視点とを結ぶ線である視線（４３）と、前記表示画面の前記視点の位置における法線と、の為す角度が大きいほど大きくなるように設定し、
前記補正部は、前記判定部により前記補正条件を満たしていると判定された場合には、少なくとも前記視点に基づいて前記入力位置の補正を行う一方、前記判定部により前記補正条件を満たしていると判定されていない場合には、前記補正条件を満たしていると判定された場合と比較して前記視点の影響の度合を低くした前記入力位置の補正を行うか、又は、前記補正を行わない、情報処理装置（１６）。
【請求項８】
車両に搭載して用いられ、画像を表示する表示装置（１１）と、
前記表示装置の表示画面に配置されるタッチパネル（１２）と、
前記タッチパネルに対する入力操作を行う操作者（３、３ａ、３ｂ）の視点（４２）を
検出する視点検出装置（１３）と、
前記タッチパネルへの入力操作に応じて、所定の制御を実行可能に構成されている情報処理装置（１６）と、を備え、
前記情報処理装置は、
前記タッチパネルから、前記タッチパネルへの入力位置（５１）を示す情報を取得する位置取得部（３２）と、
前記視点検出装置から、前記視点を示す情報を取得する視点取得部（３３）と、
前記タッチパネルに対する入力位置の補正を行う補正部（３６）と、
前記位置取得部により取得された前記入力位置と、前記視点取得部により取得された前記視点と、が、所定の補正条件を満たしているか否かを判定する判定部（３４）と、
前記車両における複数のシートそれぞれに配置される電極と、前記タッチパネルと、を用いて、当該タッチパネルに対して入力操作を行った前記操作者が前記車両におけるいずれの座席に座る人であるかを特定する特定部（３１）と、を備え、
前記視点取得部は、前記特定部により特定された前記操作者の視点を取得し、
前記補正部は、前記判定部により前記補正条件を満たしていると判定された場合には、少なくとも前記視点に基づいて前記入力位置の補正を行う一方、前記判定部により前記補正条件を満たしていると判定されていない場合には、前記補正条件を満たしていると判定された場合と比較して前記視点の影響の度合を低くした前記入力位置の補正を行うか、又は、前記補正を行わない、表示システム（１）。
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
額縁（１００）の内部に、筒状の基板（１０３）を設け、額縁（１００）の底板（１０６）に対して直立する基板（１０３）の内面及び外面にＬＥＤ（１０４，１０５）を複数取り付けて、このＬＥＤ（１０４，１０５）から出射された放射状の光（１０７，１０８）が底板（１０６）に対して平行になるように構成したこと、
を特徴とする照明付額縁。
【請求項２】
前記基板（１０３）を同心状に複数重ねたことを特徴とする請求項１に記載の照明付額縁。
【請求項３】
額縁（１００）をアクリルもしくは光（１０８）を通す素材で作る事により、光（１０８）が額縁及び額裏壁まで光（１０８）が出るように構成したことを特徴とする請求項１又は２に記載の照明付額縁。
【請求項４】
ＬＥＤ（１０４，１０５）が、光色を変化させることが可能なものであることを特徴とするある請求項１〜３のいずれかに記載の照明付額縁。
【請求項５】
前記光色の変化が、白色から昼光色であることを特徴とする請求項４に記載の照明付額縁。
【手続補正２】
【補正対象書類名】明細書
【補正対象項目名】０００５
【補正方法】変更
【補正の内容】
【０００５】
［図３］額縁１００の内部に、筒状の基板１０３の内面にＬＥＤ１０４を、外面にＬＥＤ１０５を取付け設置する。この場合、ＬＥＤは底板１０６に対して垂直（放射される光の方向は底板１０６と平行）になるためＬＥＤ１０４，１０５の光が直接前面に出てこない。内面のＬＥＤ１０４の光１０７は中央１０７に集中するので一番中央が一番明るい状態を作る事が出来る。同時に外面に配置したＬＥＤ１０５の光１０８は、外側に放射状に光１０８を発する事によりＬＥＤ１０５から距離が遠くなるほど暗くなる。また額の大きさに合わせて筒状の基板の大きさを変える事や、図４の様に２重、３重に増設する事もでき大型の作品にも対応できる。額全体１００をアクリルもしくは光を通す素材で作る事により、光１０８が額縁及び額裏壁まで光が出る。これにより正面からスポット照明を当てた様な温かい雰囲気を出す事が出来る。ＬＥＤ１０４，１０５の光色を、白色から昼光色に変化出来るようにすれば、同じ風景等の作品でも昼のイメージから夜のイメージに変化する事が出来る。ＬＥＤ１０４，１０５の光色を、カラーコントロール出来るようにすれば、同じアート作品が、違った作品として味合う事が出来る。
【手続補正３】
【補正対象書類名】明細書
【補正対象項目名】０００６
【補正方法】変更
【補正の内容】
【０００６】
［図３］額縁１００の内部に、筒状の基板１０３にＬＥＤ１０４，１０５を内面と外面（内面のＬＥＤ１０４、外面のＬＥＤ１０５）に取付け設置する。この場合、ＬＥＤ１０４，１０５は底板１０６に対して垂直（放射される光の方向は底板１０６と平行）になるためＬＥＤ１０４，１０５の光が直接前面に出てこない。内面の光１０７は中央に集中するので一番中央が一番明るい状態を作る事が出来る。同時に外面に配置したＬＥＤ１０５の光は、外側に放射状に光１０８を発する事によりＬＥＤ１０５から距離が遠くなるほど暗くなる。また額の大きさに合わせて筒状の基板１０３の大きさを変える事や、図４の様に２重、３重に増設する事もでき大型の作品にも対応できる。額全体１００をアクリルもしくは光を通す素材で作る事により、光１０８が額縁及び額裏壁まで光が出る。これにより正面からスポット照明を当てた様な温かい雰囲気を出す事が出来る。ＬＥＤ１０４，１０５の光色を、白色から昼光色に変化出来るようにすれば、同じ風景等の作品でも昼のイメージから夜のイメージに変化する事が出来る。ＬＥＤ１０４，１０５の光色を、カラーコントロール出来るようにすれば、同じアート作品が、違った作品として味合う事が出来る。
【手続補正書】
【提出日】平成30年6月21日(2018.6.21)
【手続補正１】
【補正対象書類名】明細書
【補正対象項目名】００７３
【補正方法】変更
【補正の内容】
【００７３】
また、複数の長尺導電部材４２２が積層されているところ、個々の長尺導電部材４２２が曲り易い上に、長尺導電部材４２２の間でもそれらの延在方向にずれ合って曲り易い。このため、導電線４２０全体として曲り易く、特に、長尺導電部材４２２の厚み方向において曲り易い。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
自車両とその前方に存在する物体との衝突可能性を判定する衝突判定部と、
前記衝突判定部により衝突可能性有りと判定された場合、前記自車両と前記物体との衝突を回避するための衝突回避制御として前記自車両を操舵する自動操舵制御を実行する制御部と、
前記自車両の走行路面が低μ路であるか否かを判定する処理を行う路面判定部と、を備え、
前記制御部は、前記路面判定部により低μ路であると判定された場合、前記自動操舵制御の実行を禁止し、
前記制御部は、
前記衝突判定部により衝突可能性有りと判定された場合、前記物体との衝突を回避するために要する前記自車両の横方向回避量を算出する回避量算出部と、
前記自車両の走行速度に基づいて、前記自動操舵制御により可能となる前記自車両の横方向回避量の最大値を算出する最大値算出部と、を含み、前記横方向回避量が前記最大値以下であることを条件として、前記自動操舵制御を実行し、
前記最大値算出部は、前記路面判定部により低μ路であると判定された場合に、前記路面判定部により低μ路でないと判定された場合に比べて、前記最大値を小さい値にする車両制御装置（１０）。
【請求項２】
前記制御部は、前記衝突判定部により衝突可能性有りと判定された場合、前記衝突回避制御として前記自車両に制動力を付与する自動制動制御を実行し、
前記路面判定部は、前記判定する処理として、前記自動制動制御の実行により前記自車両のスリップが発生しているか否かを判定する処理を行い、
前記制御部は、前記自動制動制御の開始後において、前記路面判定部によりスリップが発生していると判定されない場合に前記自動操舵制御の実行を許可し、前記路面判定部によりスリップが発生していると判定された場合に前記自動操舵制御の実行を禁止する請求項１に記載の車両制御装置。
【請求項３】
自車両とその前方に存在する物体との衝突可能性を判定する衝突判定部と、
前記衝突判定部により衝突可能性有りと判定された場合、前記自車両と前記物体との衝突を回避するための衝突回避制御として前記自車両を操舵する自動操舵制御を実行する制御部と、
前記自車両の走行路面が低μ路であるか否かを判定する処理を行う路面判定部と、を備え、
前記制御部は、前記路面判定部により低μ路であると判定された場合、前記自動操舵制御の実行を禁止し、
前記制御部は、前記衝突判定部により衝突可能性有りと判定された場合、前記衝突回避制御として前記自車両に制動力を付与する自動制動制御を実行し、
前記路面判定部は、前記判定する処理として、前記自動制動制御の実行により前記自車両のスリップが発生しているか否かを判定する処理を行い、
前記制御部は、前記自動制動制御の開始後において、前記路面判定部によりスリップが発生していると判定されない場合に前記自動操舵制御の実行を許可し、前記路面判定部によりスリップが発生していると判定された場合に前記自動操舵制御の実行を禁止する車両制御装置（１０）。
【請求項４】
前記自車両の周囲の外気温度を取得する温度取得部を備え、
前記路面判定部は、前記判定する処理として、前記温度取得部により取得された外気温度が所定温度以下であるか否かを判定する処理を行い、
前記制御部は、前記路面判定部により外気温度が前記所定温度以下であると判定された場合、前記自動操舵制御の実行を禁止する請求項１〜３のいずれか１項に記載の車両制御装置。
【請求項５】
前記自車両の走行経路の属する地域の降雪情報を取得する情報取得部を備え、
前記路面判定部は、前記判定する処理として、前記情報取得部により降雪情報が取得されたか否かを判定する処理を行い、
前記制御部は、前記路面判定部により前記降雪情報が取得されたと判定された場合、前記自動操舵制御の実行を禁止する請求項１〜４のいずれか１項に記載の車両制御装置。
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
移動可能な焦点調節用のレンズと、
前記レンズの位置を検出するために、位相のずれた正弦波状の２つの信号を出力する出力部と、
前記レンズの移動範囲を分割した範囲ごとに、２つの前記信号を補正する補正部と、
前記補正部で補正された２つの前記信号に基づいて、前記レンズの位置を検出する検出部と、を備えるレンズ装置。
【請求項２】
請求項１に記載のレンズ装置であって、
前記補正部は、２つの前記信号の振幅およびオフセットの少なくとも１方を補正するレンズ装置。
【請求項３】
請求項１または２に記載のレンズ装置であって、
前記補正部は、補正係数を用いて２つの前記信号を補正するレンズ装置。
【請求項４】
請求項３に記載のレンズ装置であって、
前記補正部は、前記補正係数を更新するレンズ装置。
【請求項５】
請求項３または４に記載のレンズ装置であって、
前記補正部は、前記レンズの移動範囲を分割した範囲ごとに、前記補正係数を更新するレンズ装置。
【請求項６】
請求項３から５の何れか一項に記載のレンズ装置であって、
前記補正部は、２つの前記信号それぞれの振幅の最大値および最小値に基づいて、前記補正係数を更新するレンズ装置。
【請求項７】
請求項１から６の何れか一項に記載のレンズ装置であって、
前記レンズは、前記補正部が２つの前記信号を補正する間、所定の速度未満で移動するレンズ駆動装置。
【請求項８】
請求項７に記載のレンズ装置であって、
前記レンズは、前記補正部が２つの前記信号を補正すると、前記所定の速度以上で移動するレンズ装置。
【請求項９】
請求項１から８の何れか一項に記載のレンズ装置であって、
前記レンズが配置される鏡筒内に温度センサを備え、
前記補正部は、前記温度センサの出力が第１所定値以上であると、２つの前記信号を補正するレンズ装置。
【請求項１０】
請求項９に記載のレンズ装置であって、
前記レンズが配置される鏡筒内に温度センサを備え、
前記補正部は、前記温度センサの出力と、２つの前記信号を補正した後、前記温度センサの出力が第２所定値以上になると、２つの前記信号を補正するレンズ装置。
【請求項１１】
請求項１から１０の何れか一項に記載されたレンズ装置を備える撮像装置。
【手続補正２】
【補正対象書類名】明細書
【補正対象項目名】００１０
【補正方法】変更
【補正の内容】
【００１０】
本発明は、以下のような解決手段により、前記課題を解決する。すなわち、請求項１の発明は、移動可能な焦点調節用のレンズと、前記レンズの位置を検出するために、位相のずれた正弦波状の２つの信号を出力する出力部と、前記レンズの移動範囲を分割した範囲ごとに、２つの前記信号を補正する補正部と、前記補正部で補正された２つの前記信号に基づいて、前記レンズの位置を検出する検出部と、を備えるレンズ装置である。
【手続補正３】
【補正対象書類名】明細書
【補正対象項目名】００１１
【補正方法】変更
【補正の内容】
【００１１】
請求項２の発明は、請求項１に記載されたレンズ装置であって、前記補正部は、２つの前記信号の振幅およびオフセットの少なくとも１方を補正するレンズ装置である。
【手続補正４】
【補正対象書類名】明細書
【補正対象項目名】００１２
【補正方法】変更
【補正の内容】
【００１２】
請求項３の発明は、請求項１または２に記載されたレンズ装置であって、前記補正部は、補正係数を用いて２つの前記信号を補正するレンズ装置である。
【手続補正５】
【補正対象書類名】明細書
【補正対象項目名】００１３
【補正方法】変更
【補正の内容】
【００１３】
請求項４の発明は、請求項３に記載されたレンズ駆動装置であって、前記補正部は、前記補正係数を更新するレンズ装置である。
【手続補正６】
【補正対象書類名】明細書
【補正対象項目名】００１４
【補正方法】変更
【補正の内容】
【００１４】
請求項５の発明は、請求項３または４に記載されたレンズ装置であって、前記補正部は、前記レンズの移動範囲を分割した範囲ごとに、前記補正係数を更新するレンズ装置である。
【手続補正７】
【補正対象書類名】明細書
【補正対象項目名】００１５
【補正方法】変更
【補正の内容】
【００１５】
請求項６の発明は、請求項３から５の何れか一項に記載されたレンズ装置であって、前記補正部は、２つの前記信号それぞれの振幅の最大値および最小値に基づいて、前記補正係数を更新するレンズ装置である。
【手続補正８】
【補正対象書類名】明細書
【補正対象項目名】００１６
【補正方法】変更
【補正の内容】
【００１６】
請求項７の発明は、請求項１から６の何れか一項に記載されたレンズ装置であって、前記レンズは、前記補正部が２つの前記信号を補正する間、所定の速度未満で移動するレンズ装置である。
【手続補正９】
【補正対象書類名】明細書
【補正対象項目名】００１７
【補正方法】変更
【補正の内容】
【００１７】
請求項８の発明は、請求項７に記載のレンズ装置であって、前記レンズは、前記補正部が２つの前記信号を補正すると、前記所定の速度以上で移動するレンズ装置である。
【手続補正１０】
【補正対象書類名】明細書
【補正対象項目名】００１８
【補正方法】変更
【補正の内容】
【００１８】
請求項９の発明は、請求項１から８の何れか一項に記載のレンズ装置であって、前記レンズが配置される鏡筒内に温度センサを備え、前記補正部は、前記温度センサの出力が第１所定値以上であると、２つの前記信号を補正するレンズ装置である。
【手続補正１１】
【補正対象書類名】明細書
【補正対象項目名】００１９
【補正方法】変更
【補正の内容】
【００１９】
請求項１０の発明は、請求項９に記載のレンズ装置であって、前記レンズが配置される鏡筒内に温度センサを備え、前記補正部は、前記温度センサの出力と、２つの前記信号を補正した後、前記温度センサの出力が第２所定値以上になると、２つの前記信号を補正するレンズ装置である。
【手続補正１２】
【補正対象書類名】明細書
【補正対象項目名】００２０
【補正方法】変更
【補正の内容】
【００２０】
請求項１１の発明は、請求項１から１０の何れか一項に記載されたレンズ装置を備える撮像装置である。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
運転者が道路勾配を錯覚する錯視を起こしやすい個所を車両（Ｖ）が走行している、或いは運転者が錯視を起こしていると推定される、錯視考慮状態かどうかを判定する判定手段（３）と、
前記判定手段（３）により錯視考慮状態であると判定されたときに、運転者に対し道路勾配に関する情報を報知する報知手段（４）とを備え、
前記報知手段（４）は、道路勾配に関する情報として、ヘッドアップディスプレイ（１２）に、運転者が前方を見た相対的な水平方向を示す水平基準線（Ｌ０）と、実際の水平方向を示す実水平相当線（Ｌ１）とを含む勾配教示画像（Ｐ）を表示する車両用情報報知装置。
【請求項２】
運転者が道路勾配を錯覚する錯視を起こしやすい個所を車両（Ｖ）が走行している、或いは運転者が錯視を起こしていると推定される、錯視考慮状態かどうかを判定する判定手段（３）と、
前記判定手段（３）により錯視考慮状態であると判定されたときに、運転者に対し道路勾配に関する情報を報知する報知手段（２１）とを備え、
前記報知手段（２１）は、道路勾配に関する情報として、運転者に対し、車両が下り坂を走行している場合には下降する疑似感覚を付与し、車両が上り坂を走行している場合には上昇する疑似感覚を付与する車両用情報報知装置。
【請求項３】
道路地図データを取得する道路地図データ取得手段と、車両の位置を検出する自車位置検出手段とを備え、
前記判定手段は、前記自車位置検出手段の検出した自車位置が、前記道路地図データ上の錯視注意個所に一致するかどうかにより判定を行うことを特徴とする請求項１又は２記載の車両用情報報知装置。
【請求項４】
車両の挙動を検出する挙動検出手段を備え、
前記判定手段は、前記挙動検出手段により検出された挙動に基づいて運転者が錯視を起こしているかどうかを推定することを特徴とする請求項１又は２記載の車両用情報報知装置。
【手続補正２】
【補正対象書類名】明細書
【補正対象項目名】０００６
【補正方法】変更
【補正の内容】
【０００６】
上記目的を達成するために、本発明の車両用情報報知装置（１）は、運転者が道路勾配を錯覚する錯視を起こしやすい個所を車両（Ｖ）が走行している、或いは運転者が錯視を起こしていると推定される、錯視考慮状態かどうかを判定する判定手段（３）と、前記判定手段（３）により錯視考慮状態であると判定されたときに、運転者に対し道路勾配に関する情報を報知する報知手段（４）とを備え、前記報知手段（４）は、道路勾配に関する情報として、ヘッドアップディスプレイ（１２）に、運転者が前方を見た相対的な水平方向を示す水平基準線（Ｌ０）、実際の水平方向を示す実水平相当線（Ｌ１）を含む勾配教示画像（Ｐ）を表示するところに特徴を有する（請求項１の発明）。